【手続補正書】
【提出日】平成24年3月21日(2012.3.21)
【手続補正１】
【補正対象書類名】明細書
【補正対象項目名】０００９
【補正方法】変更
【補正の内容】
【０００９】
本発明のうちの請求項１に係る発明の基準電圧発生回路は、第１電源に接続された第１導電形の第１のＭＯＳトランジスタと前記第１電源に接続された前記第１導電形の第２のＭＯＳトランジスタとにより構成された第１のカレントミラー回路と、前記第１のカレントミラー回路と第１ノード及び第２ノードとの間であって、前記第１のカレントミラー回路に対して縦続接続され、第２導電形の第３のＭＯＳトランジスタ及び前記第２導電形の第４のＭＯＳトランジスタにより構成された第２のカレントミラー回路と、一端が第３ノードに接続された第１の抵抗と、前記第１の抵抗の他端に接続されたコレクタ、前記第１電源とは異なる電位の第２電源に接続されたエミッタ、及び前記第３ノードに接続されたベースを有する第１のバイポーラトランジスタと、第４ノードに第２の抵抗を介して接続又は前記第４ノードに直接接続されたコレクタ、前記第２電源に接続されたエミッタ、及び前記第１のバイポーラトランジスタのコレクタに接続されたベースを有する第２のバイポーラトランジスタと、前記第１電源と基準電圧出力用の出力端子との間に接続され、前記第１のカレントミラー回路の出力電圧により導通状態が制御される前記第１導電形の第５のＭＯＳトランジスタと、前記出力端子と前記第２電源との間に直列に接続された第３の抵抗と、を備えたことを特徴とする。
【手続補正２】
【補正対象書類名】明細書
【補正対象項目名】００１３
【補正方法】変更
【補正の内容】
【００１３】
請求項５に係る発明の駆動装置は、基準電圧発生回路と、前記基準電圧発生回路から出力された基準電圧を入力し、前記基準電圧に対応した制御電圧を発生する制御電圧発生回路と、前記第１電源から出力される電源電圧が印加される電源端子、及び前記制御電圧が印加されるグランド端子を有し、ストローブ信号及びデータを入力し、前記ストローブ信号により前記データの出力を制御して前記電源電圧と略等しい高レベルの電圧又は前記制御電圧と略等しい低レベルの電圧を出力する論理回路と、前記電源電圧が印加され、前記論理回路の出力電圧に対応した駆動電流を被駆動素子に供給する駆動回路と、を備え、前記基準電圧発生回路は、第１電源に接続された第１導電形の第１のＭＯＳトランジスタと前記第１電源に接続された前記第１導電形の第２のＭＯＳトランジスタとにより構成された第１のカレントミラー回路と、第２導電形の第３のＭＯＳトランジスタ及び前記第２導電形の第４のＭＯＳトランジスタにより構成され、前記第１のカレントミラー回路に対して縦続接続された第２のカレントミラー回路と、一端が第３ノードに接続された第１の抵抗と、前記第１の抵抗の他端に接続されたコレクタ、前記第１電源とは異なる電位の第２電源に接続されたエミッタ、及び前記第３ノードに接続されたベースを有する第１のバイポーラトランジスタと、第４ノードに第２の抵抗を介して接続又は前記第４ノードに直接接続されたコレクタ、前記第２電源に接続されたエミッタ、及び前記第１のバイポーラトランジスタのコレクタに接続されたベースを有する第２のバイポーラトランジスタと、前記第１電源と基準電圧出力用の出力端子との間に接続され、前記第１のカレントミラー回路の出力電圧により導通状態が制御される前記第１導電形の第５のＭＯＳトランジスタと、前記出力端子と前記第２電源との間に直列に接続された第３の抵抗と、を有することを特徴とする。
【手続補正３】
【補正対象書類名】明細書
【補正対象項目名】００１８
【補正方法】変更
【補正の内容】
【００１８】
請求項５に係る発明の駆動装置、及び請求項６に係る発明のプリントヘッドによれば、第１のカレントミラー回路と第２のカレントミラー回路とを縦続接続して構成したカレントミラー回路部を用いて、第１及び第２のバイポーラトランジスタを駆動する構成の基準電圧発生回路を備えているので、電源電圧の変動や温度変化の影響を受けずに、被駆動素子を安定して駆動することができる。
【手続補正４】
【補正対象書類名】明細書
【補正対象項目名】００１９
【補正方法】変更
【補正の内容】
【００１９】
請求項７に係る発明の画像形成装置によれば、第１のカレントミラー回路と第２のカレントミラー回路とを縦続接続して構成したカレントミラー回路部を用いて、第１及び第２のバイポーラトランジスタを駆動する構成の基準電圧発生回路を有するプリントヘッドを採用しているので、スペース効率及び光取り出し効率に優れた高品質の画像形成装置を実現できる。
【手続補正５】
【補正対象書類名】特許請求の範囲
【補正対象項目名】請求項１
【補正方法】変更
【補正の内容】
【請求項１】
第１電源に接続された第１導電形の第１のＭＯＳトランジスタと前記第１電源に接続された前記第１導電形の第２のＭＯＳトランジスタとにより構成された第１のカレントミラー回路と、
前記第１のカレントミラー回路と第１ノード及び第２ノードとの間であって、前記第１のカレントミラー回路に対して縦続接続され、第２導電形の第３のＭＯＳトランジスタ及び前記第２導電形の第４のＭＯＳトランジスタにより構成された第２のカレントミラー回路と、
一端が第３ノードに接続された第１の抵抗と、
前記第１の抵抗の他端に接続されたコレクタ、前記第１電源とは異なる電位の第２電源に接続されたエミッタ、及び前記第３ノードに接続されたベースを有する第１のバイポーラトランジスタと、
第４ノードに第２の抵抗を介して接続又は前記第４ノードに直接接続されたコレクタ、前記第２電源に接続されたエミッタ、及び前記第１のバイポーラトランジスタのコレクタに接続されたベースを有する第２のバイポーラトランジスタと、
前記第１電源と基準電圧出力用の出力端子との間に接続され、前記第１のカレントミラー回路の出力電圧により導通状態が制御される前記第１導電形の第５のＭＯＳトランジスタと、
前記出力端子と前記第２電源との間に直列に接続された第３の抵抗と、
を備えたことを特徴とする基準電圧発生回路。
【手続補正６】
【補正対象書類名】特許請求の範囲
【補正対象項目名】請求項５
【補正方法】変更
【補正の内容】
【請求項５】
基準電圧を発生する基準電圧発生回路と、
前記基準電圧発生回路から出力された前記基準電圧を入力し、前記基準電圧に対応した制御電圧を発生する制御電圧発生回路と、
第１電源から出力される電源電圧が印加される電源端子、及び前記制御電圧が印加されるグランド端子を有し、ストローブ信号及びデータを入力し、前記ストローブ信号により前記データの出力を制御して前記電源電圧と略等しい高レベルの電圧又は前記制御電圧と略等しい低レベルの電圧を出力する論理回路と、
前記電源電圧が印加され、前記論理回路の出力電圧に対応した駆動電流を被駆動素子に供給する駆動回路と、
を備えた駆動装置であって、
前記基準電圧発生回路は、
前記第１電源に接続された第１導電形の第１のＭＯＳトランジスタと前記第１電源に接続された前記第１導電形の第２のＭＯＳトランジスタとにより構成された第１のカレントミラー回路と、
前記第１のカレントミラー回路と第１ノード及び第２ノードとの間であって、前記第１のカレントミラー回路に対して縦続接続され、第２導電形の第３のＭＯＳトランジスタ及び前記第２導電形の第４のＭＯＳトランジスタにより構成された第２のカレントミラー回路と、
一端が第３ノードに接続された第１の抵抗と、
前記第１の抵抗の他端に接続されたコレクタ、前記第１電源とは異なる電位の第２電源に接続されたエミッタ、及び前記第３ノードに接続されたベースを有する第１のバイポーラトランジスタと、
第４ノードに第２の抵抗を介して接続又は前記第４ノードに直接接続されたコレクタ、前記第２電源に接続されたエミッタ、及び前記第１のバイポーラトランジスタのコレクタに接続されたベースを有する第２のバイポーラトランジスタと、
前記第１電源と基準電圧出力用の出力端子との間に接続され、前記第１のカレントミラー回路の出力電圧により導通状態が制御される前記第１導電形の第５のＭＯＳトランジスタと、
前記出力端子と前記第２電源との間に直列に接続された第３の抵抗と、
を有することを特徴とする駆動装置。
【手続補正７】
【補正対象書類名】特許請求の範囲
【補正対象項目名】請求項６
【補正方法】変更
【補正の内容】
【請求項６】
駆動電流により被駆動素子を駆動する駆動装置と、
前記被駆動素子である発光素子が複数配列され、前記駆動電流により発光する発光素子アレイと、
を備えたプリントヘッドであって、
前記駆動装置は、
基準電圧を発生する基準電圧発生回路と、
前記基準電圧発生回路から出力された前記基準電圧を入力し、前記基準電圧に対応した制御電圧を発生する制御電圧発生回路と、
第１電源から出力される電源電圧が印加される電源端子、及び前記制御電圧が印加されるグランド端子を有し、ストローブ信号及びデータを入力し、前記ストローブ信号により前記データの出力を制御して前記電源電圧と略等しい高レベルの電圧又は前記制御電圧と略等しい低レベルの電圧を出力する論理回路と、
前記電源電圧が印加され、前記論理回路の出力電圧に対応した前記駆動電流を前記被駆動素子に供給する駆動回路と、を有し、
前記基準電圧発生回路は、
前記第１電源に接続された第１導電形の第１のＭＯＳトランジスタと前記第１電源に接続された前記第１導電形の第２のＭＯＳトランジスタとにより構成された第１のカレントミラー回路と、
前記第１のカレントミラー回路と第１ノード及び第２ノードとの間であって、前記第１のカレントミラー回路に対して縦続接続され、第２導電形の第３のＭＯＳトランジスタ及び前記第２導電形の第４のＭＯＳトランジスタにより構成された第２のカレントミラー回路と、
一端が第３ノードに接続された第１の抵抗と、
前記第１の抵抗の他端に接続されたコレクタ、前記第１電源とは異なる電位の第２電源に接続されたエミッタ、及び前記第３ノードに接続されたベースを有する第１のバイポーラトランジスタと、
第４ノードに第２の抵抗を介して接続又は前記第４ノードに直接接続されたコレクタ、前記第２電源に接続されたエミッタ、及び前記第１のバイポーラトランジスタのコレクタに接続されたベースを有する第２のバイポーラトランジスタと、
前記第１電源と基準電圧出力用の出力端子との間に接続され、前記第１のカレントミラー回路の出力電圧により導通状態が制御される前記第１導電形の第５のＭＯＳトランジスタと、
前記出力端子と前記第２電源との間に直列に接続された第３の抵抗と、
を有することを特徴とするプリントヘッド。
【手続補正８】
【補正対象書類名】特許請求の範囲
【補正対象項目名】請求項７
【補正方法】変更
【補正の内容】
【請求項７】
光を放射するプリントヘッドを備え、前記光により露光されて記録媒体に画像を形成する画形成装置であって、
前記プリントヘッドは、
駆動電流により被駆動素子を駆動する駆動装置と、前記被駆動素子である発光素子が複数配列され、前記駆動電流により発光して前記光を放射する発光素子アレイと、を備え、
前記駆動装置は、
基準電圧を発生する基準電圧発生回路と、
前記基準電圧発生回路から出力された前記基準電圧を入力し、前記基準電圧に対応した制御電圧を発生する制御電圧発生回路と、
第１電源から出力される電源電圧が印加される電源端子、及び前記制御電圧が印加されるグランド端子を有し、ストローブ信号及びデータを入力し、前記ストローブ信号により前記データの出力を制御して前記電源電圧と略等しい高レベルの電圧又は前記制御電圧と略等しい低レベルの電圧を出力する論理回路と、
前記電源電圧が印加され、前記論理回路の出力電圧に対応した前記駆動電流を前記被駆動素子に供給する駆動回路と、を有し、
前記基準電圧発生回路は、
前記第１電源に接続された第１導電形の第１のＭＯＳトランジスタと前記第１電源に接続された前記第１導電形の第２のＭＯＳトランジスタとにより構成された第１のカレントミラー回路と、
前記第１のカレントミラー回路と第１ノード及び第２ノードとの間であって、前記第１のカレントミラー回路に対して縦続接続され、第２導電形の第３のＭＯＳトランジスタ及び前記第２導電形の第４のＭＯＳトランジスタにより構成された第２のカレントミラー回路と、
一端が第３ノードに接続された第１の抵抗と、
前記第１の抵抗の他端に接続されたコレクタ、前記第１電源とは異なる電位の第２電源に接続されたエミッタ、及び前記第３ノードに接続されたベースを有する第１のバイポーラトランジスタと、
第４ノードに第２の抵抗を介して接続又は前記第４ノードに直接接続されたコレクタ、前記第２電源に接続されたエミッタ、及び前記第１のバイポーラトランジスタのコレクタに接続されたベースを有する第２のバイポーラトランジスタと、
前記第１電源と基準電圧出力用の出力端子との間に接続され、前記第１のカレントミラー回路の出力電圧により導通状態が制御される前記第１導電形の第５のＭＯＳトランジスタと、
前記出力端子と前記第２電源との間に直列に接続された第３の抵抗と、
を有することを特徴とする画像形成装置。